(57)【要約】【課題】  ＣＭを含む番組を放送電波によって受信する放送受信装置において、ＣＭ表示中にユーザの簡易な操作によってＣＭに関する詳細な情報を表示する機能を簡易な構成によって実現することにある。【解決手段】  ＣＭを含む番組をテレビ放送電波によって受信する装置であって、前記放送電波を受信して、番組本編及びＣＭを含む番組のデータと、ＣＭを放送する時期を表すＣＭスケジュールのデータと、前記ＣＭに関する詳細な情報であるＣＭ詳細情報のデータを取得する受信手段と、前記番組本編を映像及び／又は音声で出力するとともに、前記ＣＭスケジュールに従って前記ＣＭを映像及び／又は音声で出力する出力手段と、番組説明表示の指示を受け付けた場合に、実時刻を確認し、前記ＣＭスケジュールを参照して前記実時刻において番組本編放送中かＣＭ放送中かを判別する判別手段と、ＣＭ放送中であれば前記ＣＭ詳細情報を画面に表示させ、番組本編放送中であれば前記番組説明を表示させる情報表示手段と、を備えることを特徴とする放送受信装置。【選択図】      図２
2005197986.tif 000002
【特許請求の範囲】
【請求項１】
ＣＭを含む番組をテレビ放送電波によって受信する装置であって、
番組本編のデータを取得する番組取得手段と、
ＣＭのデータを取得するＣＭ取得手段と、
前記ＣＭの回数、前記番組の開始時刻を基準にした前記ＣＭの開始時刻、及び前記ＣＭの放送を継続する継続時間を含むＣＭスケジュールのデータを取得するＣＭスケジュール取得手段と、
前記ＣＭに関する詳細な情報であるＣＭ詳細情報のデータを取得するＣＭ詳細情報取得手段と、
前記ＣＭのデータを蓄積するＣＭ蓄積手段と、
前記番組本編を映像及び／又は音声で出力するとともに、前記ＣＭスケジュールに従って前記ＣＭ蓄積手段から前記ＣＭを読み出し、前記ＣＭを映像及び／又は音声で出力する出力手段と、
番組説明表示の指示を受け付けた場合に、実時刻を確認し、前記ＣＭスケジュールを参照して前記実時刻において番組本編放送中かＣＭ放送中かを判別する判別手段と、
ＣＭ放送中であれば前記ＣＭ詳細情報を画面に表示させ、番組本編放送中であれば前記番組説明を表示させる情報表示手段と、を備えることを特徴とするテレビ受信機。
【請求項２】
ＣＭを含む番組をテレビ放送電波によって受信する装置であって、
前記放送電波を受信して、番組本編及びＣＭを含む番組のデータと、ＣＭを放送する時期を表すＣＭスケジュールのデータと、前記ＣＭに関する詳細な情報であるＣＭ詳細情報のデータを取得する受信手段と、
前記番組本編を映像及び／又は音声で出力するとともに、前記ＣＭスケジュールに従って前記ＣＭを映像及び／又は音声で出力する出力手段と、
番組説明表示の指示を受け付けた場合に、実時刻を確認し、前記ＣＭスケジュールを参照して前記実時刻において番組本編放送中かＣＭ放送中かを判別する判別手段と、
ＣＭ放送中であれば前記ＣＭ詳細情報を画面に表示させ、番組本編放送中であれば前記番組説明を表示させる情報表示手段と、を備えることを特徴とする放送受信装置。
【請求項３】
前記受信装置はテレビ受信機であり、前記情報表示手段は、前記ＣＭ詳細情報を前記ＣＭの映像に重ねて表示させることを特徴とする、請求項１に記載の放送受信装置。
【請求項４】
前記ＣＭスケジュールは、前記ＣＭの回数と、前記番組の開始時刻を基準にした前記ＣＭの開始時刻と、前記ＣＭの放送を継続する継続時間と、を含むことを特徴とする請求項２又は３に記載の放送受信装置。
【請求項５】
ＣＭを含む番組を放送電波によって送信する装置であって、番組のデータと、ＣＭスケジュールのデータと、前記ＣＭに関する詳細な情報であるＣＭ詳細情報のデータとを蓄積する蓄積手段と、前記蓄積手段から各データを読み出して送信する送信手段と、を備えることを特徴とする放送送信装置。
【請求項６】
ＣＭを含む番組をテレビ放送電波によって受信する装置であって、
前記放送電波を受信して、番組本編のデータと、ＣＭのデータと、ＣＭを放送する時期を表すＣＭスケジュールのデータとを受信する受信手段と、
前記ＣＭのデータを蓄積するＣＭ蓄積部と、
前記番組を映像及び／又は音声で出力するとともに、前記ＣＭスケジュールに従って前記ＣＭ蓄積部から前記ＣＭのデータを読み出し、前記ＣＭを映像及び／又は音声で出力する出力手段と、を備えることを特徴とする放送受信装置。
【請求項７】
前記放送受信装置は、前記放送受信手段の主電源が入っていない時間帯に、ＣＭのデータをまとめて受信することを特徴とする、請求項６に記載の放送受信装置。
【請求項８】
ＣＭを含む番組をテレビ放送電波によって送信する装置であって、前記番組本編のデータと、前記ＣＭのデータと、ＣＭスケジュールのデータとを蓄積する蓄積手段と、前記蓄積手段から各データを読み出して送信する送信手段とを備え、前記番組本編のデータと前記ＣＭのデータとを独立に送信することを特徴とする放送送信装置。
【発明の詳細な説明】
【技術分野】
【０００１】
本発明は、放送受信装置、特に、ＣＭを含む番組を放送電波を受信する放送受信装置に関する。また、本発明は、放送送信装置、特に、番組及びＣＭを含む放送電波を送信する放送送信装置に関する。
【背景技術】
【０００２】
番組本編及びＣＭの放送電波を送受信する送受信システムが、例えば、特許文献１に記載されている。この送受信システムでは、送信機からＣＭ本体のデータの他に記憶ボタンアイコンの画像データ等を含むＣＭ付属データを送信し、受信機におけるＣＭ中に記憶ボタンアイコンを表示させ、ユーザがＣＭ中の所定期間内にボタンを押した場合に、ＣＭ付属データを受信機内に蓄積し、ユーザがＣＭを視聴したか否かを判定するように構成されている。このシステムでは、例えば、受信機内に蓄積されたＣＭ付属情報を電話回線を介して広告センターに送信することにより、キャンペーン期間中に一連のＣＭの全種類を視聴したか否かを判断し、ユーザに景品を送ることができる。また、ＣＭ付属データとしてゲームプログラムを送信し、ゲーム中にＣＭ広告主の商品を登場させることによって、広告効果を高めるシステムが記載されている。
【０００３】
特許文献２に記載の送受信システムでは、放送事業者の送信機から番組本編及びＣＭ本体に加えて、情報アイコンのデータを放送し、受信機側の画面においてユーザが情報アイコンを選択すると、サービス提供業者が運営する情報管理センターから、広告に関する詳細情報がネットワークを介して受信機に送られる。
【０００４】
特許文献３に記載の送受信システムでは、放送局から、ＣＭ放送に連動してＣＭにスパー表示するＣＭ字幕データと、ＣＭ付加情報とを放送し、受信機では１日分のＣＭ字幕データ及びＣＭ付加情報を蓄積する。受信機では、ユーザは、商品名等に基づいてＣＭ字幕付加情報を検索することができる。
【０００５】
特許文献３に記載の送受信システムは、デジタル放送を受信するナビゲーション装置に関し、ＣＭデータを受信し、ＣＭデータを文字列情報に復号化し、この文字列情報から店舗名等に基づいて、現在位置の近くにあるＣＭの店舗を地図上に表示し、広告効果を高めている。
【特許文献１】特開２００２−２４６９１号公報
【特許文献２】特開２００２−２４７０１号公報
【特許文献３】特開２００２−７７８７３号公報
【特許文献４】特開２００３−２６９９６９号公報
【発明の開示】
【発明が解決しようとする課題】
【０００６】
特許文献１に記載のシステムは、ユーザがＣＭを視聴したか否かを判断するためにボタンアイコンを表示するものであるが、ＣＭ中にボタンアイコンが表示されるのみで、ＣＭに関する内容自体を表示させるものではない。また、ゲームプログラムを送信して、ゲーム中に商品を登場させる場合には、ゲームの展開に連動させて商品の情報を表示するが、ゲームの展開と商品との関連がなければ意味のないものであり、広告主が知らせたい事項によってゲームプログラムを開発する必要があり、全てのＣＭに使用することは困難である。そもそも、ユーザがゲームをしなければ商品の情報等をユーザに知らせることができない。
【０００７】
特許文献２に記載のでは、受信機の画面に表示される情報アイコンをユーザが押した場
合に、受信機にネットワークを介して接続された情報管理センターに広告に関する詳細情報を要求し、取得するものである。しかし、受信機がインターネット等のネットワークに接続されていなければ、広告詳細情報を取得することができない。
【０００８】
特許文献３に記載のシステムでは、受信機に蓄積されたＣＭ字幕データ及びＣＭ付加情報を表示するには、ユーザが商品名等に基づいてＣＭ付加情報を検索する必要があり、ユーザが検索を実行しなければＣＭ本体以上の詳細情報をユーザに表示することができない。
【０００９】
特許文献４に記載のシステムでは、ＣＭ本体に追加する店舗の位置情報を地図上に表示させるためにＧＰＳ信号を受信して現在位置を求める必要があり、ＧＰＳ信号を受信する機能を持たない受信機に適用することはできない。また、膨大な地図情報を蓄積しておく必要があり、テレビ受信機等に適用すると大幅なコストアップを招く。また、ＣＭに関連する店舗の位置を表す地図を表示させるタイミングについては記載されていない。
【００１０】
また、一般的に同じＣＭが同一番組本編中で繰り返し流されるが、現在の放送ではＣＭは番組本編の映像・音声とともに番組の映像・音声の一部として組み込まれており、独立のイベントとして扱われていないため、同一番組本編中でＣＭを放送するたびにＣＭのデータを送信している。重複するデータの送信を低減すれば、放送電波の有効活用を向上させ得るが、この点については上記特許文献１乃至４の何れにも記載されていない。
【００１１】
本発明の目的は、ＣＭを含む番組を放送電波によって受信する放送受信装置において、ＣＭ表示中にユーザの簡易な操作によってＣＭに関する詳細な情報を表示する機能を簡易な構成によって実現することにある。
【００１２】
また、本発明の目的は、ＣＭを含む番組を放送電波によって受信する放送受信装置において、重複して送信されるＣＭのデータの送信回数を低減し、放送電波を有効活用することにある。
【課題を解決するための手段】
【００１３】
本発明に係る放送受信手段は、ＣＭを含む番組をテレビ放送電波によって受信する装置であって、番組本編のデータを取得する番組取得手段と、ＣＭのデータを取得するＣＭ取得手段と、前記ＣＭの回数、前記番組（番組本編及びＣＭ）の開始時刻を基準にした前記ＣＭの開始時刻、及び前記ＣＭの放送を継続する継続時間を含むＣＭスケジュールのデータを取得するＣＭスケジュール取得手段と、前記ＣＭに関する詳細な情報であるＣＭ詳細情報のデータを取得するＣＭ詳細情報取得手段と、前記ＣＭのデータを蓄積するＣＭ蓄積手段と、前記番組本編を映像及び／又は音声で出力するとともに、前記ＣＭスケジュールに従って前記ＣＭ蓄積手段から前記ＣＭを読み出し、前記ＣＭを映像及び／又は音声で出力する出力手段と、番組説明表示の指示を受け付けた場合に、実時刻を確認し、前記ＣＭスケジュールを参照して前記実時刻において番組本編放送中かＣＭ放送中かを判別する判別手段と、ＣＭ放送中であれば前記ＣＭ詳細情報を画面に表示させ、番組本編放送中であれば前記番組説明を表示させる情報表示手段と、を備えることを特徴とする。
【００１４】
この放送受信装置によれば、従来からある番組説明の表示機能を使用して、ユーザから番組説明表示の指示があった場合に、番組本編放送中であれば従来通り番組説明を表示し、ＣＭ中であればＣＭ詳細情報を表示させることによって、広告効果を向上させることができる。ユーザは、必要に応じてＣＭ詳細情報を表示させることができるが、ＣＭ詳細情報を表示させる操作は特別なものではなく、従来からある番組説明表示の指示を例えば番組説明ボタンを押下することによってＣＭ詳細情報を表示させることができる。また、ＣＭは番組本編と同様に番組の一部と考えれば、ドラマ等の番組本編中に番組説明ボタンを押せばドラマ番組の説明が表示され、ドラマの間のＣＭ中に番組説明ボタンを押せばＣＭという番組の説明が表示される、とユーザに認識させることができ操作の困難性がない。
ＣＭ放送中において、従来からある番組説明ボタンの押下という簡易な操作でＣＭ詳細情報を表示させることができ、ＣＭの広告効果が向上する。これにより、ＣＭ放送に高付加価値、即ちユーザが必要としかつ広告効果を高める情報をタイムリーに提供するという高付加価値を付けることができる。
【００１５】
また、番組本編中で同じＣＭが繰り返し放送される場合には、ＣＭのデータを一度受信して蓄積しておけば、ＣＭスケジュールに従って繰り返しＣＭを表示することができるので、送信側からはＣＭ本体のデータを重複して送る必要がなくなり、放送電波を節約することができる。重複して送っていたＣＭ本体データを省略して節約できた部分に、他の情報を追加する等の様に放送電波を有効活用することができる。
【００１６】
従って、ＣＭスケジュールと、番組の映像及び／又は音声の一部であるＣＭとは独立したＣＭ詳細情報とを放送電波によって受信することで、受信装置においては簡易な構成で上記を実現することができる。
【００１７】
本発明に係る放送受信装置は、ＣＭを含む番組をテレビ放送電波によって受信する装置であって、前記放送電波を受信して、番組本編及びＣＭを含む番組のデータと、ＣＭを放送する時期を表すＣＭスケジュールのデータと、前記ＣＭに関する詳細な情報であるＣＭ詳細情報のデータを取得する受信手段と、前記番組本編を映像及び／又は音声で出力するとともに、前記ＣＭスケジュールに従って前記ＣＭを映像及び／又は音声で出力する出力手段と、番組説明表示の指示を受け付けた場合に、実時刻を確認し、前記ＣＭスケジュールを参照して前記実時刻において番組本編放送中かＣＭ放送中かを判別する判別手段と、ＣＭ放送中であれば前記ＣＭ詳細情報を画面に表示させ、番組本編放送中であれば前記番組説明を表示させる情報表示手段と、を備えることを特徴とする。
【００１８】
この放送受信装置によれば、従来からある番組説明の表示機能を使用して、ユーザから番組説明表示の指示があった場合に、番組本編放送中であれば従来通り番組説明を表示し、ＣＭ中であればＣＭ詳細情報を表示させることによって、広告効果を向上させることができる。ユーザは、必要に応じてＣＭ詳細情報を表示させることができるが、ＣＭ詳細情報を表示させる操作は特別なものではなく、従来からある番組説明表示の指示を例えば番組説明ボタンを押下することによってＣＭ詳細情報を表示させることができる。また、ＣＭは番組の一部と考えれば、ドラマ等の番組本編中に番組説明ボタンを押せばドラマ番組の説明が表示され、ドラマの間のＣＭ中に番組説明ボタンを押せばＣＭという番組の説明が表示される、とユーザに認識させることができ操作の困難性がない。ＣＭ放送中において、従来からある番組説明ボタンの押下という簡易な操作でＣＭ詳細情報を表示させることができ、ＣＭの広告効果が向上する。これにより、ＣＭ放送に高付加価値、即ちユーザが必要としかつ広告効果を高める情報をタイムリーに提供するという高付加価値を付けることができる。
【００１９】
従って、ＣＭスケジュールと、番組の映像及び／又は音声の一部であるＣＭとは独立したＣＭ詳細情報とを放送電波によって受信することで、受信装置においては簡易な構成で上記を実現することができる。
【００２０】
放送受信装置は、例えばテレビ受信機である。この場合、情報表示手段は、前記ＣＭ詳細情報を前記ＣＭの映像に重ねて表示させる。テレビ受信機である場合、ＣＭの映像に重ねてＯＳＤ表示させることによってＣＭの映像を中断することなく、ＣＭ詳細情報を追加して表示させることができる。
【００２１】
前記ＣＭスケジュールは、例えば、前記ＣＭの回数と、前記番組（番組本編及びＣＭ）の開始時刻を基準にした前記ＣＭの開始時刻と、前記ＣＭの放送を継続する継続時間と、を含むようにする。ＣＭの回数、開始時刻、継続時間が分かれば、番組本編中で同じＣＭが繰り返し放送される場合に、一度蓄積したＣＭのデータを繰り返し用いてＣＭを放送す
ることができる。この結果、送信側からはＣＭ本体のデータを重複して送る必要がなくなり、放送電波を節約することができる。重複して送っていたＣＭ本体データを省略して節約できた部分に、他の情報を追加する等の様に放送電波を有効活用することができる。
【００２２】
本発明に係る放送送信装置は、ＣＭを含む番組を放送電波によって送信する装置であって、番組（番組本編及びＣＭ）のデータと、ＣＭスケジュールのデータと、前記ＣＭに関する詳細な情報であるＣＭ詳細情報のデータとを蓄積する蓄積手段と、前記蓄積手段から各データを読み出して送信する送信手段と、を備えることを特徴とする。
【００２３】
放送送信装置からＣＭスケジュールを送ることにより、ＣＭを重複して送らなくても放送受信装置においてＣＭを蓄積しておいてＣＭスケジュールに従って放送することができ、放送電波を有効活用することができる。また、ＣＭ詳細情報を送ることにより、番組の映像及び／又は音声の一部に組み込まれたＣＭに高付加価値、即ちユーザが必要としかつ広告効果を高める情報をタイムリーに提供するという高付加価値を付けることができる。また、ＣＭスケジュール、ＣＭ詳細情報を放送電波に含めることにより、受信装置では簡易な構成でＣＭ放送及びＣＭ詳細情報の表示をユーザに提供することができる。
【００２４】
本発明に係る放送受信装置は、ＣＭを含む番組をテレビ放送電波によって受信する装置であって、前記放送電波を受信して、番組本編のデータと、ＣＭのデータと、ＣＭを放送する時期を表すＣＭスケジュールのデータとを受信する受信手段と、前記ＣＭのデータを蓄積するＣＭ蓄積部と、前記番組を映像及び／又は音声で出力するとともに、前記ＣＭスケジュールに従って前記ＣＭ蓄積部から前記ＣＭのデータを読み出し、前記ＣＭを映像及び／又は音声で出力する出力手段と、を備えることを特徴とする。
【００２５】
この放送受信装置によれば、ＣＭのデータを番組本編のデータとは別に受信して蓄積しておき、スケジュールに従って、ＣＭ放送時にＣＭのデータ読み出すので、同じＣＭを繰り返し放送する場合には、放送の度に重複して同じデータを送る必要がなく、蓄積したデータを使用することができる。この結果、放送電波を節約することができる。重複して送っていたＣＭ本体データを省略して節約できた部分に、他の情報を追加する等の様に放送電波を有効活用することができる。
【００２６】
放送受信装置は、前記放送受信手段の主電源が入っていない時間帯に、ＣＭのデータをまとめて受信するように構成しても良い。受信装置が使用されていない時間帯にＣＭデータを取得しておくことによって、受信装置の使用を開始した場合にＣＭ放送に即座に対応することができる。
【００２７】
本発明に係る放送送信装置は、ＣＭを含む番組をテレビ放送電波によって送信する装置であって、前記番組本編のデータと、前記ＣＭのデータと、ＣＭスケジュールのデータとを蓄積する蓄積手段と、前記蓄積手段から各データを読み出して送信する送信手段とを備え、前記番組本編のデータと前記ＣＭのデータとを独立に送信することを特徴とする。
【００２８】
この放送送信装置によれば、ＣＭのデータを番組本編のデータとは別に送信し、ＣＭ放送のスケジュールも送るので、受信装置では、一度ＣＭデータを蓄積しておけば、スケジュールに従って、ＣＭを読み出して使用することができ、同じＣＭを繰り返し放送する場合に重複したデータを送る必要がない。この結果、放送電波を節約することができる。重複して送っていたＣＭ本体データを省略して節約できた部分に、他の情報を追加する等の様に放送電波を有効活用することができる。
【発明の効果】
【００２９】
本発明によれば、番組及びＣＭを含む放送電波を受信する放送受信装置において、ＣＭ表示中にユーザの簡易な操作によってＣＭに関連する情報を表示する機能を簡易な構成によって実現できる。
【００３０】
また、本発明によれば、番組及びＣＭを含む放送電波を受信する放送受信装置において、重複して送信されるＣＭのデータの送信回数を低減し、放送電波を有効活用できる。
【発明を実施するための最良の形態】
【００３１】
（１）第１実施形態
〔構成〕
図１は、本発明の第１実施形態に係る送信装置１００及び受信装置２００からなる送受信システムの概略構成図である。この送受信システムは、ＣＭを含む番組を放送するデジタル放送に使用される。受信装置２００は、表示画面を備えるテレビ受信機／ラジオ、携帯型のテレビ受信機／ラジオ、その他、デジタル放送を受信し、外部の機器に映像を出力するチューナ単体である。また、受信装置２００は、デジタル放送を受信するチューナを備え、表示画面を備えるか又は外部の機器に映像を出力する機器であればどのような形態の機器であっても良い。
【００３２】
送信装置１００は、例えば放送事業者が運営する。送信装置１００は、番組蓄積部１０１、ＣＭ蓄積部１０２、スケジュール蓄積部１０３、ＣＭ詳細情報蓄積部１０４を備えている。番組蓄積部１０１は、ドラマ、バラエティ等の番組本編を構成する番組本編データを蓄積している。ＣＭ蓄積部１０２は、番組の映像及び／又は音声の一部として組み込まれ、番組本編の放送の間に放送されるＣＭデータを蓄積している。スケジュール蓄積部１０３は、番組（番組本編及びＣＭを含む）の開始時刻を基準としてＣＭの放送が開始される開始時刻と、ＣＭの継続時間とからなるＣＭスケジュールを蓄積している。ＣＭ詳細情報蓄積部１０４は、番組の一部として組み込まれたＣＭ（ＣＭ本体）とは独立の当該ＣＭの詳細な情報（ＣＭ詳細情報）を蓄積している。
【００３３】
また、送信装置１００は、制御部１０５と、送信データ作成部１０６と、送信部１０７とを備えている。制御部１０５は、番組蓄積部１０１、ＣＭ蓄積部１０２、スケジュール蓄積部１０３及びＣＭ詳細情報蓄積部１０４へのデータの蓄積及び読み出しを制御するとともに、これらの送信データ作成部１０６を制御して蓄積部１０１乃至１０４から読み出したデータに基づいて送信データを作成する。送信データ作成部１０６は、番組蓄積部１０１及びＣＭ蓄積部１０２から夫々読み出した番組本編データ及びＣＭデータを結合して番組データを作成し、ＭＰＥＧエンコード及びＴＳパケット多重化する。また、送信データ作成部１０６は、スケジュール蓄積部１０３及びＣＭ詳細情報蓄積部１０４から夫々読み出したＣＭスケジュール及びＣＭ詳細情報をＭＰＥＧエンコード及び多重化する。送信部１０７は、送信データをＲＦ信号に変換してアンテナから放送電波を送信する。
【００３４】
受信装置２００は、受信部２０１と、受信データ作成部２０２と、制御部２０３と、ＲＴＣ  ＩＣ２０４と、スケジュール蓄積部２０５と、ＣＭ詳細情報蓄積部２０６と、映像合成部２０７と、入力部２０８とを備えている。
【００３５】
受信部２０１は、アンテナで受信された放送電波を電気信号に変換する。受信データ復号部２０２は、受信部２０１から出力される電気信号にＴＳパケット分離処理、ＭＰＥＧデコード処理を施し、映像信号及び音声信号、スケジュール情報、ＣＭ詳細情報に復号する。映像信号は、ＯＳＤ画像が在る場合には映像合成部２０７でＯＳＤ画像が重ね合わされ、内蔵又は外部のディスプレイ装置に出力される。音声信号は、内蔵又は外部のスピーカに出力され、音声として再生される。
【００３６】
ＲＴＣ  ＩＣ（リアルタイムクロック  ＩＣ）２０４は、時計表示可能な各種電気機器に組み込まれる半導体装置であり、現在の年、月、日、時刻を出力する機能（カレンダー機能）を有している。入力部２０８は、ユーザからの操作を装置本体のボタン等又は外部のリモコン２０９からの信号によって受け付け、ユーザからの操作を制御部２０３に出力する。
【００３７】
制御部２０３は、番組開始前に放送電波によって送られるＣＭスケジュールを受信してスケジュール蓄積部２０５に蓄積し、ＲＴＣ  ＩＣ２０４を参照して実時刻を確認し、プリセットする。ＣＭスケジュールの受信は、番組開始前に、受信装置２００から送信装置１００にＣＭスケジュールの送信を要求することによって送信装置１００から送られるようにしても良い。
【００３８】
また、制御部２０３は、ＣＭ詳細情報を番組データ（番組本編及びＣＭのデータ）ともに受信し、ＣＭ詳細情報をＣＭ詳細情報蓄積部２０６に蓄積する。ＣＭ詳細情報は、放送する番組の送信時に取得しても良いし、番組の送信とは関係なく、予め数ヶ月分を取得し、更新があった場合に書き換えるようにしても良い。
【００３９】
また、制御部２０３は、番組本編放送中に、ユーザが装置本体又はリモコンの「番組説明」ボタンを押下すると、番組本編放送中かＣＭ放送中かを判別し、番組本編放送中であれば番組説明を表示し、ＣＭ放送中であればＣＭ詳細情報を映像合成部２０７に出力する。映像合成部２０７では、ＣＭ詳細情報がＯＳＤ画像としてＣＭの映像に重ね合わされ、合成された映像がディスプレイ装置に出力される。
【００４０】
〔ＣＭスケジュール〕
図２は、１時間番組の番組本編及びＣＭのスケジュール割の概略図である。ここでは、１時間番組を例に挙げて説明するが、他の長さの番組でも同様である。１時間番組を番組Ａとし、番組Ａはドラマである。番組Ａは１つのイベントを構成し、番組Ａは、番組Ａ（１／４）、番組Ａ（２／４）、番組Ａ（３／４）、番組Ａ（４／４）、ＣＭ００１〜ＣＭ００６の各部分（以下、イベント詳細と称す）である。ＣＭは、ＣＭ００１〜００６の６種類あり、各ＣＭの長さは３０秒又は１分である。ＣＭの長さは３０秒又は１分である場合を例に挙げるが、１５秒等の他の長さでも良い。
【００４１】
図３は、番組ＡのＣＭスケジュールのデータ構成例である。このＣＭスケジュールデータは、イベント詳細名、イベント種別、各イベント詳細（ＣＭ００１〜００６）の放送を開始する開始時刻及び各イベント詳細の放送を継続する時間（継続時間）から構成されている。開始時刻は、番組Ａの放送を開始する実時刻を基準にした相対的な時刻で表されている。例えば、番組Ａが午後９：００からである場合には、２番目のイベント詳細であるＣＭ００２は、午後９時００分３０秒から放送が開始される。
【００４２】
〔ＣＭ詳細情報〕
図４乃至図７は、番組ＡのＣＭ詳細情報のデータ構成例である。ＣＭ詳細情報は、イベント詳細名、イベント種別、情報種別数、情報種別Ａ〜Ｈの各データから構成されている。情報種別数は、ＣＭ詳細情報に含まれる情報の数である。
【００４３】
情報種別Ａは、タイトル情報であり、情報の有無、情報長、タイトルから構成される。情報の有無は、タイトル情報が有るか無いかを識別するフラグである。情報バイト長は、タイトルの長さであり、情報バイト長で表す。タイトルは、タイトルの内容を全角で表したものである。例えば、ＣＭ００１では、タイトルは「お知らせ」であり、「お知らせ」は全角４文字であるので、情報長は８バイトである。情報種別Ｂは、店名等の名称の情報であり、情報の有無、情報長、店名等の名称から構成されている。例えば、ＣＭ００１では、名称が「ＸＸカメラ」であり、「ＸＸカメラ」は全角５文字であるので、情報長は１０バイトである。情報種別Ｃは、開店時刻の情報であり、情報の有無、開店時刻から構成される。情報種別Ｄは、閉店時刻の情報であり、情報の有無、閉店時刻から構成される。各時刻は２４時間表示で表す。ＣＭ００１では、開店時刻９：３０：００（午前９時３０分０秒）であり、閉店時刻は２０：００：００（午後８時０分０秒）である。
【００４４】
情報種別Ｅは、休日の情報であり、情報の有無、記載月数、月、月の休日数、休日日か
ら構成される。記載月数は、休日の情報が記載されている期間を月で表したものであり、例えばＣＭ００１では、６ヶ月である。休日情報の記載月数をＣＭを放送する期間として使用しても良い。月は、休日のある月であり、ＣＭ００１の場合には１月、２月、３月、・・・、６月である。月の休日数は、休日のある月の休日の数であり、休日日は休日の日付である。ＣＭ００１では、記載月数が６ヶ月であり、１月に２日間の休日があり、１日と１５日である。また、ＣＭ００３では、記載月数が４ヶ月であり、５月には８日と２２日の２日間の休日があり、６月には休日がなく、７月には３日と１７日と３１日の３日間の休日がある。情報種別Ｆは、イベント（催し物）の情報であり、情報の有無、記載月数、月、イベント日数、イベント日、情報バイト長、イベントの内容から構成される。例えば、ＣＭ００１では、記載月数は２ヶ月であり、１月には１日間のイベント日があり、２日に初売（情報長４バイト）がある。また、２月には１日間のイベント日があり、２９日にセール（情報長６バイト）がある。
【００４５】
情報種別Ｇは、住所情報であり、情報の有無、住所情報の数、郵便番号（半角８バイト）、電話番号（半角１４バイト）、ＦＡＸ番号（半角１４バイト）、地図番号、住所の情報長（バイト）、住所（全角、テキスト）、最寄駅の情報長（バイト）、最寄駅の情報（全角、テキスト）から構成されている。地図番号は、後述する地図画像を指定する番号であり、番号が０の場合には地図が無いことを表す。例えば、ＣＭ００１の場合には、住所情報の数は３つであり、最初の住所情報において、郵便番号が110-0016、電話番号が03-5688-XXXX、ＦＡＸ番号が03-5688-XXXXであり、地図番号が０１、住所が「東京都台東区・・・」（４０バイト）、最寄駅の情報が「京浜東北線・御徒町駅、徒歩１４分、・・・」（６０バイト）である。
【００４６】
情報種別Ｈは、地図情報であり、情報の有無、画像の数、地図番号、地図情報から構成される。地図情報は、地図の画像であり、複数の種類がある。画像の数は、地図の画像の数であり、地図番号は地図の画像を特定する番号である。例えば、ＣＭ００１の場合には、画像の数が５つ、地図番号０１の地図１の画像〜地図番号０５の地図５の画像から構成される。
【００４７】
〔ＣＭスケジュールの送信データのフォーマット〕
図８は、図３に示したスケジュールの送信データのフォーマットの概略図である。ＣＭスケジュールの送信データは、ＣＭの数と、各ＣＭのイベント詳細名、放送回数、開始時刻、継続時間からなるデータのループとから構成される。ＣＭの数は、番組Ａの場合、ＣＭ００１〜００６の６である。ＣＭ  Ｎｏ．は、ＣＭのイベント詳細名であり、ＣＭ００１〜００６の何れかである。放送回数は、各ＣＭ００１〜００６を番組Ａ中で放送する回数であり、図３において例えばＣＭ００１の場合に３回である。開始時刻（開始相対時刻）は、各ＣＭ００１〜００６の放送を開始する時刻であり、図３においてＣＭ００１の場合には、００：００：００（番組Ａの開始時刻）、００：１４：００（番組Ａの開始時刻から１４分経過時）、００：５８：００（番組Ａの開始時刻から５８分経過時）である。継続時間は、各ＣＭ００１〜００６の放送を継続する時間であり、図３においてＣＭ００１の場合には、００：００：３０（３０秒）である。
【００４８】
〔ＣＭ詳細情報の送信データのフォーマット〕
図９は、図４乃至図７に示したＣＭ詳細情報の送信データのフォーマットの概略図である。ＣＭ詳細情報の送信データは、ＣＭの数と、各ＣＭの情報種別Ａ〜Ｈのデータのループとから構成される。図１０及び図１１は、各ＣＭの情報種別Ａ〜Ｈのデータの詳細な構成である。図１０乃至図１１に示すように、各ＣＭの情報種別Ａ〜Ｈのデータは、図４乃至図７に示した各情報を順番に並べて構成される。
【００４９】
情報種別Ｅの休日日の情報は、図５に示した月、休日数、休日日からなるデータが、記
載月数分だけループする構成である。また、各月のループの中では、各月の休日日が、休日数分だけループする。例えば、図５においてＣＭ００１では、記載月数が６ヶ月であり、１月から６月のデータがループする。また、１月では、休日数が２日間であり、１日、１５日の２つの休日日のデータがループする。
【００５０】
情報種別Ｆの休日日の情報は、月、イベント日数、イベント日、情報長、イベント内容からなるデータが、記載月数分だけループする構成である。また、各月のループの中では、各月のイベント日、イベント内容が、イベント日数分だけループする。例えば、図５においてＣＭ００１では、記載月数が２ヶ月であり、１月のデータと２月のデータとがループする。また、１月ではイベント日が１日間あり、２日に初売りがあるが、イベント日が２日と３１日との２日間ある場合には、２日のデータと３１日のデータとがループする。
【００５１】
情報種別Ｇの住所情報は、図６に示した郵便番号、電話番号、ＦＡＸ番号、住所の情報長、住所、地図番号、最寄駅の情報長、最寄駅の情報からなるデータが、住所情報の数だけループする。図６のＣＭ００１の場合には、３つの住所情報があるので、各住所情報がループする。情報種別Ｈの地図情報は、図７に示した地図番号、地図の画像からなるデータが、画像数分だけループする。例えば、ＣＭ００１の場合には、５つの地図の画像があるので、各地図番号、地図の画像がループする。
【００５２】
受信装置２００では、以上説明したＣＭスケジュール及びＣＭ詳細情報を用いて、ＣＭ放送中の画面上にＣＭ詳細情報をＯＳＤ表示する。図１２は、ＯＳＤ表示されるＣＭ詳細情報の画面例である。この画面は、ＣＭ００１放送中の画面に重ねてＯＳＤ表示される。表示の日付は、６月１日として説明する。ＣＭ詳細情報画面には、例えば、タイトル「お知らせ」（情報種別Ａ）、名称「ＸＸカメラ」（情報種別Ｂ）、住所情報（情報種別Ｇ）、開店時刻（情報種別Ｃ）、閉店時刻（情報種別Ｄ）が表示される。住所情報は、例えば、受信装置２００が受信する放送局の情報に基づいて決定された設置場所、又はユーザが受信装置２００に入力した郵便番号等に基づいて決定された設置場所の周辺にある店舗の住所を表示する。
【００５３】
また、今月（６月）のお休み：無休が表示されている。今月のお休みは、ＣＭ詳細情報表示時点の実時刻をＲＴＣ  ＩＣ２０４から取得し、ＣＭ詳細情報の情報種別Ｅを参照して実時刻における休日日を抽出する。この例では、ＣＭ００１の６月の休み情報は図示省略されているが、無休である。
【００５４】
また、各月の「お休み情報とイベント情報」アイコンが表示される。ユーザがリモコンの十字キー、アップダウンキーでアイコンを移動してエンターキー等でアイコンを選択すると、アイコンに記載されている月の休日情報及びイベント情報が図５の情報種別Ｅ及び情報種別Ｆから抽出されて表示される。例えば、ユーザが「１月のお休み情報とイベント情報」を選択すると、図１３に示すように、１月の休日日、１月のイベント日及びイベントの内容が表示される。
【００５５】
また、「ＭＡＰ」アイコンが表示され、ユーザが選択すると、表示された住所情報の店舗の地図が表示される。画面例では、図６においてＣＭ００１の最初の住所情報であるので、地図番号は０１であり、図７の地図情報（情報種別Ｈ）においてＣＭ００１の地図番号「０１」の地図１の画像を画面に表示する。
【００５６】
〔ＣＭ詳細情報表示処理〕
以下、図１４を参照してＣＭ詳細情報表示の処理について説明する。
【００５７】
受信装置２００では、番組Ａの放送開始前に、送信装置１００から送信される放送電波を受信して、ＣＭスケジュールを取得して蓄積し（ステップＳ１１）、ＲＴＣ  ＩＣ２０４によって実時刻を確認、プリセットする（ステップＳ１２）。その後、１時間番組（番
組Ａ）が開始する（ステップＳ１３）と、リモコン２０９等の「番組説明ボタン」が押下されたか否かを判別し、押下されるまでステップＳ１４の処理を繰り返す。「番組説明ボタン」が押下されると、ＲＴＣ  ＩＣ２０４によって実時刻（「番組説明ボタン」が押下された時刻）を確認し、ボタン押下時においてＣＭ中であるか否かをＣＭスケジュール（図３）で確認する。なお、送信されるＣＭスケジュールでは、各ＣＭの開始時刻が番組開始時間からの相対時刻で表されているため、受信装置２００がＣＭスケジュールを受信した際に番組開始時刻と相対時刻とから各ＣＭの開始時刻を実時刻に変換して蓄積するか、ボタン押下時の実時刻を番組開始時刻からの相対時刻に変換して、ボタン押下時の時刻と各ＣＭの開始時刻とを比較し、ＣＭ中であるか否かを判別する（ステップＳ１５）。
【００５８】
ステップＳ１５において、ボタン押下時にＣＭ中でなければ、ドラマ等の番組本編を放送中であるので、番組説明を番組本編の放送画面に重ねて表示する（ステップＳ１６）。ステップＳ１７では、「番組説明ボタン」の再押下、番組本編からＣＭへの切り替わり等の番組説明表示の終了要因が発生したか否かを判別し、終了要因が発生するまで番組説明を表示し、終了要因が発生すれば、番組説明のＯＳＤ表示を消去してステップＳ１４に戻る。
【００５９】
一方、ステップＳ１５において、ボタン押下時にＣＭ中であれば、上述した図１２のようなＣＭ詳細情報のＯＳＤ画像をＣＭ放送の画面に重ねて表示する（ステップＳ１８）。ステップＳ１９では、「番組説明ボタン」の再押下、放送中のＣＭの終了（次ＣＭの開始）、ＣＭから番組への切り替わり等のＣＭ詳細情報表示の終了要因が発生したか否かを判別し、終了要因が発生するまで番組説明を表示し、終了要因が発生すれば、ＣＭ詳細情報のＯＳＤ表示を消去してステップＳ１４に戻る。
【００６０】
〔作用効果〕
この受信装置２００によれば、従来からある番組説明の表示機能を使用して、ユーザから「番組説明ボタン」の押下があった場合に、番組本編放送中であれば従来通り番組説明をＯＳＤ表示し、ＣＭ中であればＣＭ詳細情報をＯＳＤ表示させることによって、広告効果を向上させることができる。ユーザは、必要に応じてＣＭ詳細情報を表示させることができるが、ＣＭ詳細情報を表示させる操作は特別なものではなく、従来からある「番組説明ボタン」を押下することによってＣＭ詳細情報を表示させることができる。また、ＣＭは番組の一部と考えることもできるので、ドラマ等の番組本編中に「番組説明ボタン」を押せばドラマ番組の説明が表示され、ドラマの間のＣＭ中に「番組説明ボタン」を押せばＣＭという番組の説明が表示されるとユーザに認識させることができ、操作の困難性がない。ＣＭ放送中において、従来からある「番組説明ボタン」の押下という簡易な操作でＣＭ詳細情報を表示させることができ、ＣＭの広告効果が向上する。これにより、ＣＭ放送に高付加価値、即ちユーザが必要としかつ広告効果を高める情報をタイムリーに提供するという高付加価値を付けることができる。
【００６１】
また、受信装置２００においてＣＭを蓄積するＣＭ蓄積部を設ければ、番組本編中で同じＣＭが繰り返し放送される場合に、ＣＭのデータを一度受信して蓄積し、ＣＭスケジュールに従って繰り返しＣＭを表示することができる。送信側からはＣＭ本体のデータを重複して送る必要がなくなり、放送電波を節約することができる。重複して送っていたＣＭ本体データを省略して節約できた部分に、他の情報を追加する等の様に放送電波を有効活用することができる。
【００６２】
従って、ＣＭスケジュールと、番組の映像及び／又は音声の一部であるＣＭとは独立したＣＭ詳細情報とを放送電波によって受信することで、受信装置においては簡易な構成で上記を実現することができる。
【００６３】
本実施形態のこの送信装置１００によれば、ＣＭ詳細情報を送ることにより、番組の映
像及び／又は音声の一部に組み込まれたＣＭに高付加価値、即ちユーザが必要としかつ広告効果を高める情報をタイムリーに提供するという高付加価値を付けることができる。また、この送信装置１００によれば、ＣＭスケジュール、ＣＭ詳細情報を放送電波に含めることにより、受信装置では簡易な構成でＣＭ放送及びＣＭ詳細情報の表示をユーザに提供することができる。また、送信装置２００からＣＭスケジュールを送るので、受信装置２００においてＣＭを蓄積するＣＭ蓄積部を設ければ、ＣＭを重複して送らなくても受信装置２００においてＣＭを蓄積しておいてＣＭスケジュールに従って放送することができ、放送電波を有効活用することができる。
【００６４】
（２）第２実施形態
図１５は、第２実施形態に係る送信装置１００及び受信装置２００からなる送受信システムの概略構成図である。本実施形態において、受信装置２００は、番組蓄積部２１０とＣＭ蓄積部２１１とをさらに備えていることである。番組蓄積部２１０とＣＭ蓄積部２１１とは、各放送局に割り当て有られた放送局固有の記憶スペースを利用する。また、スポンサーごとに割り当てる記憶領域を用意し、これを利用しても良い。
【００６５】
また、送信装置１００は、図８に示すＣＭスケジュールと同様のフォーマットで番組Ａ（１／４）〜番組Ａ（４／４）のスケジュール（番組本編スケジュール）も送信する。番組本編スケジュールも、番組Ａ（１／４）〜番組Ａ（４／４）の数、各番組Ａ（１／４）〜番組Ａ（４／４）の開始時刻と継続時間とを含んでいる。
【００６６】
受信装置２００は、ＣＭスケジュール及び番組本編スケジュールを受信すると、ＣＭスケジュール及び番組本編スケジュールから図１６に示すように、番組Ａのイベント詳細スケジュールを作成する。地上波デジタルへの対応を考慮した場合、チャンネル変更が何時行われるかわからないので、現在時刻から２時間分先までのＣＭスケジュールを取得、蓄積しておくことが好ましい。但し、ＢＳや１１０度ＣＳへのネットワーク切換え可能な受信装置２００であれば、各ネットワークのラストチャンネルのＣＭスケジュールも併せて取得しておく。
【００６７】
なお、ここでは、ＣＭスケジュールに加えて番組本編スケジュールを送受信する構成とするが、第１実施形態と同様にＣＭスケジュールのみを送受信し、ＣＭスケジュールから番組本編スケジュールを算出しても良い。
【００６８】
送信装置１００は、番組本編データとＣＭデータ（ＣＭ本体のデータ）とを別々に送信する。また、送信装置１００は、番組スケジュール、ＣＭスケジュール及びＣＭ詳細情報を送信する。受信装置２００は、番組本編のデータとＣＭデータとを別々に受信する。受信装置２００は、番組スケジュール、ＣＭスケジュール及びＣＭ詳細情報を受信する。ＣＭデータの送受信は、例えば、受信装置２００の主電源が落ちている時間帯（例えば深夜の特定の時間帯、０時〜４時等）にＣＭデータをまとめて受信し、ＣＭ蓄積部２１１に蓄積する。送信装置１００は、受信装置２００に何時主電源が投入されるか不明であるため、定期的にＣＭデータを送信するように構成することが好ましい。
【００６９】
〔番組Ａの放送処理〕
ＣＭスケジュール及び番組本編スケジュールを受信してイベント詳細スケジュール（図１６）を作成し、ＣＭデータをＣＭ蓄積部２１１に蓄積した受信装置２００における番組Ａの放送処理について、図１７を参照して説明する。
【００７０】
まず、ＲＴＣ  ＩＣ２０４から実時刻を取得し、実時刻がイベント詳細１（ＣＭ００１）の開始時刻になったか否かを判別する。実時刻がイベント詳細１の開始時刻になるまでステップＳ２１の処理を繰り返し、実時刻がイベント詳細１の開始時刻になると、ＣＭ蓄積部２１１からＣＭ００１のデータを読み出して放送する（ステップＳ２２）。また、実時刻がイベント詳細２の開始時刻になると、ＣＭ蓄積部２１１からＣＭ００２のデータを読み出して放送する（ステップＳ２３、Ｓ２４）。以下、同様に、図１６のイベントスケ
ジュールに従って、各開始時刻に各イベント詳細を放送する。イベント詳細が番組本編である場合には、番組蓄積部２１０から番組本編の部分、番組Ａ（１／４）〜番組Ａ（４／４）を夫々読み出して放送する。また、番組Ａの放送処理に並行して上記実施形態のＣＭ詳細情報の表示処理を実行すれば、上記実施形態と同様に、ＣＭ放送中の画面にＣＭ詳細情報を重ねて表示させることができる。
【００７１】
〔作用効果〕
１時間番組の枠の中で１つのＣＭは複数回用いられるが、実際は、３ヶ月単位、６ヶ月単位で繰り返し使われている。従って、本実施形態のように、ＣＭのデータ（映像、音声）とイベントスケジュール（又はＣＭスケジュール）とＣＭ詳細情報とを受信装置２００に蓄積し、イベントスケジュールに従ってＣＭを表示させるようにすれば、ＣＭのデータ（映像、音声）を１回受信して蓄積すれば、同じＣＭが繰り返し放送される度に同じＣＭのデータを重複して送信する必要がなくなる。これにより、ＣＭの送信回数を減らし、放送電波を節約することができ、他の情報を追加する等の様に放送電波を有効活用することができる。
【００７２】
また、番組本編データとＣＭデータとを別々に受信し、受信装置２００において番組本編にＣＭをはめ込む形態を採るので、ＣＭ外した録画が容易になる。
【００７３】
ケーブルテレビ等では、双方向で通信し、ＣＭを蓄積していない受信装置２００を抽出し、ＣＭを蓄積していない受信装置２００にＣＭデータを優先的に送信するようにすれば、全ての受信装置２００に一律にＣＭデータを送る形態に比較して、通信回線を有効活用することができる。
【００７４】
なお、有料放送やローカルな情報通信網であれば、受信装置２００においてユーザが番組Ａを視聴しようとしたときに、未だＣＭデータを取得していなければ、番組Ａの視聴を許可しないようにしても良い。この場合であっても、番組Ａのお試し期間を設け、ユーザに番組Ａの冒頭部のみ等を放送することが好ましい。
【図面の簡単な説明】
【００７５】
【図１】第１実施形態に係る送受信システムの概略構成図。
【図２】イベント詳細スケジュール割りの概略図（ＣＭのみ）。
【図３】ＣＭスケジュールのデータ構成例。
【図４】ＣＭ詳細情報のデータ構成例。
【図５】ＣＭ詳細情報のデータ構成例。
【図６】ＣＭ詳細情報のデータ構成例。
【図７】ＣＭ詳細情報のデータ構成例。
【図８】ＣＭスケジュールの送信データフォーマット。
【図９】ＣＭ詳細情報の送信データフォーマット。
【図１０】ＣＭ詳細情報の送信データフォーマットの詳細構成。
【図１１】ＣＭ詳細情報の送信データフォーマットの詳細構成。
【図１２】ＣＭ詳細情報のＯＳＤ表示画面例。
【図１３】ＣＭ詳細情報のＯＳＤ表示画面例。
【図１４】ＣＭ詳細情報表示処理のフローチャート。
【図１５】第２実施形態に係る送受信システムの概略構成図。
【図１６】イベント詳細スケジュール割りの概略図（番組本編及びＣＭ）。
【図１７】番組放送処理のフローチャート。
【符号の説明】
【００７６】
１００  送信装置
１０１  番組蓄積部
１０２  ＣＭ蓄積部
１０３  スケジュール蓄積部
１０４  ＣＭ詳細情報蓄積部
１０５  制御部
１０６  送信データ作成部
１０７  送信部
２００  受信装置
２０１  受信部
２０２  受信データ復号部
２０３  制御部
２０４  ＲＴＣ  ＩＣ
２０５  スケジュール蓄積部
２０６  ＣＭ詳細情報蓄積部
２０７  映像合成部
２０８  入力部
２０９  リモコン
２１０  番組蓄積部
２１１  ＣＭ蓄積部
【図１】
2005197986.tif 000003
【図２】
2005197986.tif 000004
【図３】
2005197986.tif 000005
【図４】
2005197986.tif 000006
【図５】
2005197986.tif 000007
【図６】
2005197986.tif 000008
【図７】
2005197986.tif 000009
【図８】
2005197986.tif 000010
【図９】
2005197986.tif 000011
【図１０】
2005197986.tif 000012
【図１１】
2005197986.tif 000013
【図１２】
2005197986.tif 000014
【図１３】
2005197986.tif 000015
【図１４】
2005197986.tif 000016
【図１５】
2005197986.tif 000017
【図１６】
2005197986.tif 000018
【図１７】
2005197986.tif 000019